(57)【要約】【課題】    建築用部材の提供。【解決手段】建築物の壁面上下又は左右、或いは上下及び左右方向に部材２００が連続装着される。該部材２００は長方形に形成され、背面に互いに離間して部材挿入溝２２０が水平方向に形成される。本発明に係る建築用部材１００は、部材２００の背面に少なくとも一つの部材挿入溝２２０を形成して建築物の壁面や床に前記部材２００を容易に付着（取り付け）及び固定可能である他、それにかかる工事時間及び工事費用を減らし、単純作業者も容易に作業できる効果がある。【選択図】  図１
2021512244.tif 000002
【特許請求の範囲】
【請求項１】
建築物の壁面上下方向、壁面左右方向、壁面上下及び左右方向のうちいずれか一方向に部材が連続装着され、
前記部材は長方形に形成され、背面に垂直、水平、傾斜方向に互いに離隔して部材挿入溝が長さ方向に形成されることを特徴とする建築用部材。
【請求項２】
前記部材挿入溝は、外部と連通する入口、及び前記入口から内部に向かって延長形成され、接着部材が収容される部材挿入空間で形成され、
前記部材挿入空間は入口の大きさよりも大きく形成されることを特徴とする、請求項１記載の建築用部材。
【請求項３】
前記部材挿入溝を構成する部材挿入空間の内部には長さ方向に延びたり又は間隔をおいて支持突起が形成されることを特徴とする、請求項２記載の建築用部材。
【請求項４】
前記部材は、上・下端部に長さ方向に部材結合部が形成され、前記部材結合部は、前記部材の上部に長さ方向に結合突起が形成され、下部には長さ方向に、他の部材の結合突起と結合する結合溝が形成されることを特徴とする、請求項１記載の建築用部材。
【請求項５】
前記部材は、上・下端部に長さ方向に部材結合部が形成され、前記部材結合部は、前記部材の上部に長さ方向に第１結合溝及び第１結合突起で構成される第１結合部が形成され、下部には長さ方向に、他の部材の第１結合溝及び第１結合突起と結合する第２結合突起及び第２結合溝で構成される第２結合部が形成されることを特徴とする、請求項１記載の建築用部材。
【請求項６】
前記第１結合部を構成する第１結合溝の間には、補助結合溝及び補助結合突起で構成される補助結合部がさらに形成されることを特徴とする、請求項５記載の建築用部材。
【請求項７】
前記部材は、
部材挿入溝が形成され、上端には長さ方向に結合突起が形成される背面部材と、
前記背面部材の前方に一体に形成され、前面は垂直に形成され、下部には他の部材の結合突起が挿入可能に結合溝が形成される前面部材と、が一体に形成されることを特徴とする、請求項１記載の建築用部材。
【請求項８】
前記部材の前記部材挿入溝には、建築物の壁面及び接着部材と結合力を高めるための結合部材が間隔をおいて選択的に装着されることを特徴とする、請求項１記載の建築用部材。
【請求項９】
前記結合部材は、尖った形状のボディー、前記ボディーの基端に形成され、部材挿入溝にスライド挿入及び支持されるヘッド部、及び前記ボディーに嵌め結合されて入口の外部に配置されるワッシャーを含んでなることを特徴とする、請求項８記載の建築用部材。
【請求項１０】
前記結合部材は、格子状の金網、格子状の繊維網、格子状のガラス網のいずれか一つで形成され、前記部材挿入溝に挿入される挿入部分は直線又は折り曲げ形成されることを特徴とする、請求項８記載の建築用部材。
【請求項１１】
前記部材の前方には美観の向上のために装飾部材が選択的に装着されることを特徴とする、請求項１記載の建築用部材。
【請求項１２】
前記部材挿入溝には、一側が外部接着部材に固定され、他側は前記部材挿入溝の上部を支持する固定支持部材が装着されることを特徴とする、請求項１記載の建築用部材。
【請求項１３】
前記部材挿入溝と前記部材挿入溝との間には間隔をおいて複数個の補助結合溝又は補助結合突起が形成されることを特徴とする、請求項１記載の建築用部材。
【発明の詳細な説明】
【技術分野】
【０００１】
本発明は、建築用部材に関し、より詳細には、建築物の壁面に付着する内外装材及び屋根又は建築物の床に付着（取り付け）する床材に用いられる建築用部材に関する。
【背景技術】
【０００２】
現在、多くの建築外装材は、現場において各外装材又はその種類別に異なる熟練した技術者を要求する。
その例として、レンガはレンガ工、タイルはタイル工、大理石は石工、瓦片は瓦師などしか施工できず、現場の状況や技術者の熟練度によって施工上の問題が多く発生している。
例えば、建築物の装飾性を高める部材として多く使用されているタイルは、第一、落ちる場合が多く、第二、目地作業が必須であり、目地によって建物に汚れが多く発生する。
【０００３】
また、レンガは組積工法だけで進行が可能であり、レンガの重さを支えるために設置する副資材費用が高く、施工費用が多くかかり、複雑な荷重計算が発生し、レンガの押さえ付ける荷重によって一日に工事できる量に限界があるため、作業効率性が低下し、専門施工者以外は工事が不可能である。
【０００４】
また、石材施工は資材の特性上、水の入り込みを防止するためにシリコン目地施工が必須であり、シリコン施工による汚染がレンガと同様に非常に多く発生しており、デザイン的な要素を加えるために石の表面に‘溝’を切るが、これによって費用と作業時間が多くかかる。
【０００５】
このような問題によって建築主と建築業者間に建築紛争が多く発生し、それによる工事費用及び消耗的な副資材そして瑕疵補修費用が非常に多く発生し、熟練した施工者が工事せざるをえないという与件によって建築環境は益々難しさを増している。
【発明の概要】
【発明が解決しようとする課題】
【０００６】
本発明は、前記のような実情に鑑みて提案されたものであり、部材の背面に少なくとも一つの部材挿入溝を形成し、建築物の壁面や屋根及び床に前記部材を容易に付着及び固定できる建築用部材を提供することにその目的がある。
【０００７】
また、部材の上・下部に形成される部材結合部を介して自然な溝を形成し、別途の溝切り費用を節減できる建築用部材を提供することを目的とする。
【０００８】
また、部材を建築物の壁面又は床面に長さ方向に連続装着できる建築用部材を提供することを目的とする。
【課題を解決するための手段】
【０００９】
本発明の一実施例による建築用部材は、建築物の壁面上下方向、壁面左右方向、壁面上下及び左右方向のうちいずれか一方向に部材が連続装着され、前記部材は長方形に形成され、背面に垂直、水平、傾斜方向に互いに離隔して部材挿入溝が長さ方向に形成される。
【００１０】
前記部材挿入溝は、外部と連通する入口、及び該入口から内部に向かって延長形成され、接着部材が収容される部材挿入空間で形成され、前記部材挿入空間は入口の大きさよりも大きく形成され得る。
【００１１】
ここで、前記部材挿入溝を構成する部材挿入空間の内部には長さ方向に延びたり又は間隔をおいて支持突起が形成され得る。
【００１２】
前記部材は、上・下端部に長さ方向に部材結合部が形成されるが、該部材結合部は、前記部材の上部に長さ方向に結合突起が形成され、下部には長さ方向に、他の部材の結合突起と結合する結合溝が形成され得る。
【００１３】
また、前記部材は、上・下端部に長さ方向に部材結合部が形成されるが、該部材結合部は、前記部材の上部に長さ方向に第１結合溝及び第１結合突起で構成される第１結合部が形成され、下部には長さ方向に、他の部材の第１結合溝及び第１結合突起と結合する第２結合突起及び第２結合溝で構成される第２結合部が形成され得る。
【００１４】
ここで、前記第１結合部を構成する第１結合溝の間には、補助結合溝及び補助結合突起で構成される補助結合部がさらに形成され得る。
そして、前記部材は、部材挿入溝が形成され、上端には長さ方向に結合突起が形成される背面部材と、前記背面部材の前方に一体に形成され、前面は垂直に形成され、下部には他の部材の結合突起が挿入可能に結合溝が形成される前面部材と、が一体に形成され得る。
【００１５】
また、前記部材の部材挿入溝には、建築物の壁面及び接着部材と結合力を高めるための結合部材が間隔をおいて選択的に装着され得る。
【００１６】
ここで、前記結合部材は、尖った形状のボディー、該ボディーの基端に形成され、部材挿入溝にスライド挿入及び支持されるヘッド部、及び前記ボディーに嵌め結合されて入口の外部に配置されるワッシャーを含んでなり得る。
そして、前記結合部材は、格子状の金網、格子状の繊維網、格子状のガラス網のいずれか一つで形成され、前記部材挿入溝に挿入される挿入部分は直線又は折り曲げ形成され得る。
【００１７】
また、前記部材の前方には美観の向上のために装飾部材が選択的に装着され得る。
そして、前記部材挿入溝には、一側が外部接着部材に固定され、他側は部材挿入溝の上部を支持する固定支持部材が装着され得る。
【発明の効果】
【００１８】
本発明に係る建築用部材は、部材の背面に少なくとも一つの部材挿入溝を形成し、建築物の壁面や床に前記部材を容易に付着及び固定できるだけでなく、それにかかる工事時間と工事費用を減らし、単純作業者も容易に作業できるという効果がある。
【００１９】
また、本発明に係る建築用部材は、部材の上・下部に形成される部材結合部によって自然な溝を形成し、別途の溝切り費用を節減できるだけでなく、製品の特性上、シリコン及び目地を施工しなくて済むので、費用及び汚染を減らし、建物の美観を向上させることができるという効果がある。
【００２０】
また、本発明に係る建築用部材は、部材を建築物の壁面及び屋根又は床面に長さ方向に連続装着できるだけでなく、それによる結合力を向上させることができるという効果がある。
【図面の簡単な説明】
【００２１】
【図１】本発明に係る建築用部材の一実施例を示す斜視図である。
【図２】本発明に係る図１の建築用部材を構成する部材を示す斜視図及び背面斜視図である。
【図３】本発明に係る図１の建築用部材を構成する部材を示す斜視図及び背面斜視図である。
【図４】本発明に係る図１の建築用部材の上・下部に位置する部材結合部の他の実施例を示す図である。
【図５】本発明に係る図１の建築用部材の上・下部に位置する部材結合部の他の実施例を示す図である。
【図６】本発明に係る図４及び図５の建築用部材の結合状態を示す斜視図である。
【図７】本発明に係る図４及び図５の建築用部材の結合状態を示す斜視図である。
【図８】本発明に係る建築用部材の他の実施例を示す斜視図である。
【図９】本発明に係る図８の建築用部材の背面斜視図である。
【図１０】本発明に係る図８の設置状態を示す断面図である。
【図１１】本発明に係る図８の設置状態を示す断面図である。
【図１２】本発明に係る建築用部材の設置時に用いられる結合部材を示す図である。
【図１３】本発明に係る建築用部材の設置時に用いられる結合部材を示す図である。
【図１４】本発明に係る建築用部材の設置時に用いられる結合部材の他の実施例を示す図である。
【図１５】本発明に係る建築用部材の設置時に用いられる結合部材の他の実施例を示す図である。
【図１６】本発明に係る建築用部材の設置時に用いられる装飾部材の使用状態を示す図である。
【図１７】本発明に係る建築用部材の設置時に用いられる固定支持部材の使用状態を示す断面図である。
【発明を実施するための形態】
【００２２】
本発明の利点及び特徴、そしてそれらを達成する方法は、添付の図面と共に詳細に後述されている実施例から明確になるであろう。しかし、本発明は以下に開示される実施例に限定されるものではなく、様々な別の形態に具現されてもよく、単に、それらの本実施例は本発明の開示を完全にし、本発明の属する技術の分野における通常の知識を有する者に発明の範囲を完全に知らせるために提供されるものであり、本発明は請求項の記載によって定義される。一方、本明細書で使われている用語は実施例を説明するためのもので、本発明を制限するためのものではない。本明細書において、単数形は、文章で特に言及しない限り、複数形も含む。明細書で使われている“含む（ｃｏｍｐｒｉｓｅｓ）”又は“含む（ｃｏｍｐｒｉｓｉｎｇ）”は、言及された構成要素、段階、動作及び／又は素子以外の一つ以上の他の構成要素、段階、動作及び／又は素子の存在又は追加を排除しない。
【００２３】
以下、本発明の好ましい実施例を、添付の図面を参照して詳細に説明する。図１は、本発明に係る建築用部材の一実施例を示す斜視図であり、図２及び図３は、本発明に係る図１の建築用部材を構成する部材を示す斜視図及び背面斜視図である。
【００２４】
本願発明である建築用部材１００は、建築物の壁面に付着する内外装材又は屋根及び建築物の床に付着する床材として用いられる。
【００２５】
ここで、前記建築用部材１００は、建築物の壁面の上下方向、壁面の左右方向、上下及び左右方向に部材２００が連続装着される例を挙げて説明する。
そして、本願発明である建築用部材１００は、部材２００の背面に垂直又は水平方向に互いに離間して部材挿入溝２２０が環境に応じて水平、垂直、傾斜方向に形成され、セメント、モルタルなどの接着部材３００を容易に挿入可能であることに特徴がある。
すなわち、前記部材２００は、部材挿入溝２２０に挿入される接着部材３００によって建築物の壁面に一体に取り付けられる。このとき、前記接着部材３００は鉤状に固まりながら部材２００を支持する。
【００２６】
次に、前記部材２００は長方形に形成される例を挙げて説明するが、前記部材２００の形状は、環境及び目的などによって円形、多角形、楕円形などに変更されてもよい。
そして、前記部材挿入溝２２０は環境及び目的などに応じて部材２００の背面に互いに離間して垂直及び傾斜方向にも形成可能であるだけでなく、前記部材挿入溝２２０には接着部材３００に代えてファスナー、アンカーなどの締付具が挿入されてもよい。
すなわち、前記部材２００は、背面の部材挿入溝２２０によって接着部材３００を容易に収容できるだけでなく、前記部材２００の上・下部に均等に接着部材３００を配置することによって偏心荷重が伝達されることを最小化できるという長所がある。
【００２７】
ここで、前記部材２００の背面に形成される部材挿入溝２２０は、外部と連通する入口２２２と、該入口２２２から内部に向かって延長形成され、接着部材３００が収容される部材挿入空間２２４とで構成される。
すなわち、前記部材挿入溝２２０は、部材挿入空間２２４に接着部材３００を収容すると同時に入口２２２を介して外部に位置する接着部材３００と一体に結合することによって、建築物の壁面に固定される。
【００２８】
また、前記部材挿入空間２２４は入口２２２の大きさよりも大きく形成されるが、これは、前記部材挿入空間２２４に収容される接着部材３００が入口２２２から外部に排出されることを最小化するとともに部材２００の結合力を高めるためである。
そして、前記部材挿入溝２２０の内部には長さ方向に延在したり又は間隔をおいて支持突起４００が形成され得る。
すなわち、前記支持突起４００は部材挿入溝２２０に形成され、前記部材挿入溝２２０に流入する接着部材３００との結合力を高めるとともに前記接着部材３００を支持する役割を担う。
【００２９】
ここで、前記支持突起４００は部材挿入溝２２０の背面中央に形成され、前記部材挿入溝２２０に収容される接着部材３００によって上・下部を均等に支持する。
【００３０】
また、前記支持突起４００は必要によって、歯車形態のように個数を増加させたり、或いは追加に形成することができる。
【００３１】
また、前記部材挿入溝２２０と部材挿入溝２２０との間には、互いに離間して多数個の補助結合溝２２６又は補助結合突起が形成され得る。
すなわち、前記部材挿入溝２２０と部材挿入２２０との間に補助結合溝２２６と補助結合突起を形成して接着部材３００との結合力を向上させることができる。
【００３２】
このとき、前記補助結合溝２２６と補助結合突起は、強度補強及び結合力の向上のために、部材挿入溝２２０と異なる方向（例えば、前記部材挿入溝が水平方向であれば補助結合溝２２６は垂直方向）に形成される。
【００３３】
次に、前記部材２００は、上・下端部に長さ方向に部材結合部２６０が形成される。
【００３４】
ここで、前記部材結合部２６０は、部材２００の上部に長さ方向に結合突起２６２が形成され、下部には長さ方向に、他の部材の結合突起と結合する結合溝２６４が形成される。
すなわち、前記部材結合部２６０は、部材２００の上部に結合突起２６２を形成し、下部に結合溝２６４を形成して、隣り合う他の部材２００の結合溝２６４及び結合突起２６２と結合する。
【００３５】
次に、前記建築用部材１００を構成する部材結合部２６０は、図１〜図３と違い、図４〜図７のように構成されてもよい。
【００３６】
これを添付の図面を参照して説明すると、図４及び図５は、本発明に係る図１の建築用部材の上・下部に位置する部材結合部の他の実施例を示す図であり、図６及び図７は、本発明に係る図４及び図５の建築用部材の結合状態を示す斜視図である。
すなわち、前記部材２００は、上・下端部に形成される部材結合部２６０ａの形状を変更して、前記部材２００と部材２００を容易に結合させながらも支持力を向上させ得るようにしたものである。
そして、前記部材結合部２６０ａは、部材２００の上部に長さ方向に第１結合溝２６２ａ及び第１結合突起２６３ａで構成される第１結合部２６１ａが形成され、下部には長さ方向に他の部材の第１結合溝及び第１結合突起と結合する第２結合突起２６５ａ及び第２結合溝２６６ａで構成される第２結合部２６４ａが形成される。
すなわち、前記部材２００は、上部及び下部に長さ方向に形成される第１結合部２６１ａ及び第２結合部２６４ａによって垂直方向に連続して設置できるだけでなく、係合構造で結合力を向上させることができ、雨水が入り込むことを防止することができる。
このとき、前記部材結合部２６０ａを構成する第１結合部２６１ａ及び第２結合部２６４ａの位置は変更可能であるだけでなく、自然的な溝を形成するために、図７のように前記部材２００の結合位置を変更してもよい。
【００３７】
次に、前記第１結合部２６１ａを構成する第１結合溝２６２ａの間には補助結合溝２６８ａ及び補助結合突起２６９ａで構成される補助結合部２６７ａがさらに形成され得る。
すなわち、前記部材結合部２６０ａは第１結合部２６１ａの間に少なくとも一つの補助結合溝２６８ａ及び補助結合突起２６９ａで構成される補助結合部２６７ａを選択的に形成し、前記部材２００の位置を調節した後に固定することができる。
【００３８】
次に、前記建築用部材１００を構成する部材２００は図８〜図１１のように構成されてもよい。
【００３９】
これを添付の図面を参照して説明すると、図８は、本発明に係る建築用部材の他の実施例を示す斜視図であり、図９は、本発明に係る図８の建築用部材の背面斜視図であり、図１０及び図１１は、本発明に係る図８の設置状態を示す断面図である。
【００４０】
前記部材２００は、部材挿入溝２２１ｂが形成され、上端には長さ方向に結合突起２２２ｂが形成される背面部材２２０ｂ、及び前記背面部材２２０ｂの前方に一体に形成され、前面２４１ｂは垂直に形成され、下部には、他の部材の結合突起が挿入され得るように結合溝２４２ｂが形成される前面部材２４０ｂが一体に形成される。
すなわち、前記部材２００は、部材挿入溝２２１ｂと結合突起２２２ｂが形成される背面部材２２０ｂと、結合溝２４２ｂが形成される前面部材２４０ｂとを一体に形成し、建築物の壁面上下方向、壁面左右方向、壁面上下及び左右方向に連続して設置する。
このとき、前記前面部材２４０ｂを構成する結合溝２４２ｂの下部には円滑な結合及び溝の自然的な形成のために空間部２４３ｂが選択的に形成され得る。
【００４１】
次に、前記建築用部材１００は、図１２〜図１５に示すように、部材２００と接着部材３００又は建築物の壁面との結合力を高め得るように結合部材５００が選択的に装着され得る。
【００４２】
これを添付の図面を参照して説明すると、図１２及び図１３は、本発明に係る建築用部材の設置時に用いられる結合部材を示す図である。
【００４３】
前記結合部材５００は、前記部材２００の部材挿入溝２２０に互いに離間して装着され、建築物壁面及び接着部材３００との結合力を高める。
そして、前記結合部材５００は、尖端状のボディー５１０、前記ボディー５１０の基端に形成され、部材挿入溝２２０にスライド挿入及び支持されるヘッド部５２０、及び前記ボディー５１０に嵌め結合して入口２２２の外部に配置されるワッシャー５３０を含む。
すなわち、前記部材挿入溝２２０に互いに離間して、ボディー５１０とヘッド部５２０が一体に形成される結合部材５００を装着した後、前記入口２２２の外部にワッシャー５３０を装着して固定した状態で前記接着部材３００と結合する。
【００４４】
次に、前記結合部材５００は、図１４及び図１５のように形成されてもよい。
すなわち、前記結合部材５００は、格子状の金網で形成され、前記接着部材３００との結合力を高めることができる。
このとき、前記部材挿入溝２２０に挿入される挿入部分５４０は、結合力を高め得るように直線又は折曲げ形成できる。
【００４５】
次に、前記建築用部材１００は、図１６に示すように、前記部材２００の前方に装飾部材６００が選択的に装着され得る。
すなわち、前記装飾部材６００は、部材２００の前方に選択的に装着されて美観を向上させることができる。
このとき、前記装飾部材６００の形状は、図示のものに限定されず、様々な形状に形成され得る。
【００４６】
次に、前記建築用部材１００は、図１７に示すように、前記部材２００を構成する部材挿入溝２２０の固定支持部材７００が互いに離間して装着される例を示す。
ここで、前記固定支持部材７００は、部材挿入溝２２０に一側７２０が位置して外部接着部材３００に固定され、他側７４０は部材挿入溝２２０の上部を支持する。
【００４７】
上記のように構成される建築用部材の実施例について説明すると、次の通りである。
まず、長方形の形状に、背面に垂直方向に互いに離間して部材挿入溝２２０が水平方向に形成される複数個の部材２００を形成する。
そして、前記部材２００の部材挿入溝２２０にセメント、モルタルなどの接着部材３００を挿入した後、建築物の壁面に接着部材３００が設けられた部材２００を連続して装着する。
その後、前記部材２００の上部に他の部材２００を結合させるが、前記部材２００を構成する部材結合部を用いて容易に位置調節しながら固定する。
ここで、前記建築用部材の組立順序は前記と異なってもよいことは明らかであろう。
【００４８】
以上の説明は本発明の技術的思想を例示的に説明するものに過ぎず、本発明の属する技術の分野における通常の知識を有する者であれば、本発明の本質的特性を逸脱しない範囲で様々な修正及び変形が可能である。
【００４９】
したがって、本発明に表現された実施例は本発明の技術的思想を限定するものではなく、説明するためのものであり、このような実施例によって本発明の権利範囲は限定されない。本発明の保護範囲は添付する特許請求の範囲によって解釈されなければならず、それと同等又は均等な範囲内にある技術的思想はいずれも本発明の権利範囲に含まれるものと解釈されるべきであろう。
【産業上の利用可能性】
【００５０】
本発明に係る建築用部材は、建築物の壁面上下、左右、又は上下及び左右方向に部材が連続装着されるが、前記部材はそれぞれ長方形に形成され、背面に互いに離間して部材挿入溝が水平方向に形成され、部材の背面に少なくとも一つの部材挿入溝を形成して建築物の壁面や床に前記部材を容易に付着及び固定できるだけでなく、その工事時間と工事費用を減らし、単純作業者も容易に作業を行うことができる。
【符号の説明】
【００５１】
１００：建築用部材
２００：部材
２２０：部材挿入溝
２２２：入口
２２４：部材挿入空間
３００：接着部材
【図１】
2021512244.tif 000003
【図２】
2021512244.tif 000004
【図３】
2021512244.tif 000005
【図４】
2021512244.tif 000006
【図５】
2021512244.tif 000007
【図６】
2021512244.tif 000008
【図７】
2021512244.tif 000009
【図８】
2021512244.tif 000010
【図９】
2021512244.tif 000011
【図１０】
2021512244.tif 000012
【図１１】
2021512244.tif 000013
【図１２】
2021512244.tif 000014
【図１３】
2021512244.tif 000015
【図１４】
2021512244.tif 000016
【図１５】
2021512244.tif 000017
【図１６】
2021512244.tif 000018
【図１７】
2021512244.tif 000019
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
建築物の壁面上下方向、壁面左右方向、壁面上下及び左右方向のうちいずれか一方向に部材が連続装着され、
前記部材は長方形に形成され、背面に垂直、水平、傾斜方向に互いに離隔して部材挿入溝が長さ方向に形成されると共に
前記部材の前記部材挿入溝には、建築物の壁面及び接着部材と結合力を高めるための結合部材が間隔をおいて選択的に装着され、
前記結合部材は、尖った形状のボディー、前記ボディーの基端に形成され、部材挿入溝にスライド挿入及び支持されるヘッド部、及び前記ボディーに嵌め結合されて入口の外部に配置されるワッシャーを含んでなることを特徴とする建築用部材。
【請求項２】
前記部材挿入溝は、外部と連通する入口、及び前記入口から内部に向かって延長形成され、接着部材が収容される部材挿入空間で形成され、
前記部材挿入空間は入口の大きさよりも大きく形成されることを特徴とする、請求項１記載の建築用部材。
【請求項３】
前記部材挿入溝を構成する部材挿入空間の内部には長さ方向に延びたり又は間隔をおいて支持突起が形成されることを特徴とする、請求項２記載の建築用部材。
【請求項４】
前記部材は、上・下端部に長さ方向に部材結合部が形成され、前記部材結合部は、前記部材の上部に長さ方向に結合突起が形成され、下部には長さ方向に、他の部材の結合突起と結合する結合溝が形成されることを特徴とする、請求項１記載の建築用部材。
【請求項５】
前記部材は、上・下端部に長さ方向に部材結合部が形成され、前記部材結合部は、前記部材の上部に長さ方向に第１結合溝及び第１結合突起で構成される第１結合部が形成され、下部には長さ方向に、他の部材の第１結合溝及び第１結合突起と結合する第２結合突起及び第２結合溝で構成される第２結合部が形成されることを特徴とする、請求項１記載の建築用部材。
【請求項６】
前記第１結合部を構成する第１結合溝の間には、補助結合溝及び補助結合突起で構成される補助結合部がさらに形成されることを特徴とする、請求項５記載の建築用部材。
【請求項７】
前記部材は、
部材挿入溝が形成され、上端には長さ方向に結合突起が形成される背面部材と、
前記背面部材の前方に一体に形成され、前面は垂直に形成され、下部には他の部材の結合突起が挿入可能に結合溝が形成される前面部材と、が一体に形成されることを特徴とする、請求項１記載の建築用部材。
【請求項８】
前記部材の前方には美観の向上のために装飾部材が選択的に装着されることを特徴とする、請求項１記載の建築用部材。
【請求項９】
前記部材挿入溝には、一側が外部接着部材に固定され、他側は前記部材挿入溝の上部を支持する固定支持部材が装着されることを特徴とする、請求項１記載の建築用部材。
【請求項１０】
前記部材挿入溝と前記部材挿入溝との間には間隔をおいて複数個の補助結合溝又は補助結合突起が形成されることを特徴とする、請求項１記載の建築用部材。
【手続補正２】
【補正対象書類名】図面
【補正対象項目名】図１０
【補正方法】変更
【補正の内容】
【図１０】
2021512244.tif 000020
【手続補正３】
【補正対象書類名】図面
【補正対象項目名】図１１
【補正方法】変更
【補正の内容】
【図１１】
2021512244.tif 000021
【国際調査報告】
2021512244.tif 000022
2021512244.tif 000023
2021512244.tif 000024
2021512244.tif 000025